(57)【要約】【課題】  この発明は、印刷停止時間帯の終了時刻直前には、印刷停止時間帯においてメモリに保存された受信データの印刷が終了するように、印刷停止時間帯においてメモリに保存された受信データをまとめて印刷することができるファクシミリ装置を提供することを目的とする。【解決手段】  メモリ内に保存されている受信データ量に基づいて、メモリ内に保存されている受信データを印刷するのに要する時間を算出し、印刷停止時間帯の終了時刻から印刷するのに要する時間と予め設定された監視処理間隔とを減算することにより、印刷開始予定時刻を算出する第１手段、現在時刻が印刷開始予定時刻を過ぎているか否かを判別する第２手段、第２手段によって、現在時刻が印刷開始予定時刻を過ぎていると判別した場合には、メモリ内に保存されている受信データを印刷する手段を備えている。【選択図】  図４
2007067665.tif 000002
【特許請求の範囲】
【請求項１】
印刷停止時間帯をユーザに設定させるための設定手段、
印刷停止時間帯にファクシミリ受信した受信データを、印刷することなくメモリに保存させる手段、および
印刷停止時間帯に最初にファクシミリ受信があったときには、監視手段による監視処理を実行させる手段を備えており、
監視手段は、
メモリ内に保存されている受信データ量に基づいて、メモリ内に保存されている受信データを印刷するのに要する時間を算出し、印刷停止時間帯の終了時刻から印刷するのに要する時間と予め設定された監視処理間隔とを減算することにより、印刷開始予定時刻を算出する第１手段、
現在時刻が印刷開始予定時刻を過ぎているか否かを判別する第２手段、
第２手段によって、現在時刻が印刷開始予定時刻を過ぎていないと判別した場合には、上記監視処理間隔に相当する時間だけ待機した後、上記第１手段および第２手段による処理を実行させる第３手段、および
第２手段によって、現在時刻が印刷開始予定時刻を過ぎていると判別した場合には、メモリ内に保存されている受信データを印刷した後、メモリ内に保存されている受信データを削除し、監視処理を終了させる第４手段、                                          を備えていることを特徴とするファクシミリ装置。
【請求項２】
印刷停止時間帯をユーザに設定させるための設定手段、
印刷停止時間帯にファクシミリ受信した受信データを、印刷することなくメモリに保存させる手段、および
印刷停止時間帯においては、監視手段による監視処理を実行させる手段を備えており、  監視手段は、
メモリ内に保存されている受信データ量に基づいて、メモリ内に保存されている受信データを印刷するのに要する時間を算出し、印刷停止時間帯の終了時刻から印刷するのに要する時間と予め設定された監視処理間隔とを減算することにより、印刷開始予定時刻を算出する第１手段、
現在時刻が印刷開始予定時刻を過ぎているか否かを判別する第２手段、
第２手段によって、現在時刻が印刷開始予定時刻を過ぎていないと判別した場合には、上記監視処理間隔に相当する時間だけ待機した後、上記第１手段および第２手段による処理を実行させる第３手段、および
第２手段によって、現在時刻が印刷開始予定時刻を過ぎていると判別した場合には、メモリ内に保存されている受信データを印刷した後、メモリ内に保存されている受信データを削除し、監視処理を終了させる第４手段、                                          を備えていることを特徴とするファクシミリ装置。
【発明の詳細な説明】
【技術分野】
【０００１】
この発明は、通常のファクシミリ装置、インターネットＦＡＸと呼ばれるファクシミリ装置等のファクシミリ装置に関する。
【背景技術】
【０００２】
特開平１０−４２８０３号公報には、省エネルギーモードが設定されている場合にはファクシミリ受信した画像情報をメモリに記憶し、メモリに記憶した画像情報が予め定めたページ数以上になったとき、または省エネルギーモードを解除したときに、メモリに記憶した画像情報を印刷させる技術が開示されている。
【０００３】
この従来技術では、省エネルギーモードを解除する時刻を設定することにより、省エネルギーモード時にメモリに記憶された画像情報の印刷開始時刻を指定することができる。      
【０００４】
上記従来技術では、省エネルギーモード時にメモリに記憶された画像情報の印刷開始時刻を設定することはできるが、メモリに記憶されている画像情報量によって印刷時間が変化するため、省エネルギーモード時にメモリに記憶された画像情報の印刷終了時刻を指定することはできない。
【０００５】
ところで、ファクシミリ装置のユーザとしては、深夜時間帯などの電気料金が割引される時間帯にメモリに蓄積した画像情報の印刷を終了させておきたい、ユーザがファクシミリ装置を使用する可能性が高い所定時刻までにメモリに蓄積した画像情報の印刷を終了させておきたいといった要望がある。しかしながら、上記従来技術では、このような要望に答えることはできない。
【特許文献１】特開平１０−４２０８３号公報
【発明の開示】
【発明が解決しようとする課題】
【０００６】
この発明は、ユーザによって設定された印刷停止時間帯においてはファクシミリ受信した受信データを印刷することなくメモリに保存させることができるとともに、印刷停止時間帯の終了時刻直前には、印刷停止時間帯においてメモリに保存された受信データの印刷が終了するように、印刷停止時間帯においてメモリに保存された受信データをまとめて印刷することができるファクシミリ装置を提供することを目的とする。
【課題を解決するための手段】
【０００７】
請求項１に記載の発明は、印刷停止時間帯をユーザに設定させるための設定手段、印刷停止時間帯にファクシミリ受信した受信データを、印刷することなくメモリに保存させる手段、および印刷停止時間帯に最初にファクシミリ受信があったときには、監視手段による監視処理を実行させる手段を備えており、監視手段は、メモリ内に保存されている受信データ量に基づいて、メモリ内に保存されている受信データを印刷するのに要する時間を算出し、印刷停止時間帯の終了時刻から印刷するのに要する時間と予め設定された監視処理間隔とを減算することにより、印刷開始予定時刻を算出する第１手段、現在時刻が印刷開始予定時刻を過ぎているか否かを判別する第２手段、第２手段によって、現在時刻が印刷開始予定時刻を過ぎていないと判別した場合には、上記監視処理間隔に相当する時間だけ待機した後、上記第１手段および第２手段による処理を実行させる第３手段、および第２手段によって、現在時刻が印刷開始予定時刻を過ぎていると判別した場合には、メモリ内に保存されている受信データを印刷した後、メモリ内に保存されている受信データを削除し、監視処理を終了させる第４手段を備えていることを特徴とする。
【０００８】
請求項２に記載の発明は、印刷停止時間帯をユーザに設定させるための設定手段、印刷停止時間帯にファクシミリ受信した受信データを、印刷することなくメモリに保存させる手段、および印刷停止時間帯においては、監視手段による監視処理を実行させる手段を備えており、監視手段は、メモリ内に保存されている受信データ量に基づいて、メモリ内に保存されている受信データを印刷するのに要する時間を算出し、印刷停止時間帯の終了時刻から印刷するのに要する時間と予め設定された監視処理間隔とを減算することにより、印刷開始予定時刻を算出する第１手段、現在時刻が印刷開始予定時刻を過ぎているか否かを判別する第２手段、第２手段によって、現在時刻が印刷開始予定時刻を過ぎていないと判別した場合には、上記監視処理間隔に相当する時間だけ待機した後、上記第１手段および第２手段による処理を実行させる第３手段、および第２手段によって、現在時刻が印刷開始予定時刻を過ぎていると判別した場合には、メモリ内に保存されている受信データを印刷した後、メモリ内に保存されている受信データを削除し、監視処理を終了させる第４手段を備えていることを特徴とする。
【発明の効果】
【０００９】
この発明によれば、ユーザによって設定された印刷停止時間帯においてはファクシミリ受信した受信データを印刷することなくメモリに保存させることができるとともに、印刷停止時間帯の終了時刻直前には、印刷停止時間帯においてメモリに保存された受信データの印刷が終了するように、印刷停止時間帯においてメモリに保存された受信データをまとめて印刷することができるようになる。
【発明を実施するための最良の形態】
【００１０】
以下、図面を参照して、この発明の実施例について説明する。
【実施例１】
【００１１】
図１は、ファクシミリ装置の構成を示している。
【００１２】
ファクシミリ装置は、ＣＰＵ１によって制御される。ＣＰＵ１は、そのプログラム等を記憶するＲＯＭ２、必要なデータを記憶するＲＡＭ３、印刷停止時間帯、受信データ等を記憶するためのメモリ４を備えている。メモリ４としては、例えば、不揮発性メモリが用いられる。
【００１３】
ＣＰＵ１には、原稿画像を読み取るためのスキャナ部５、受信された画像を印刷するためのプリント部６、各種の操作および設定ならびに各種の案内表示を行なう操作表示部７、モデム８等が接続されている。操作表示部７は、タッチパネル付きの液晶表示器を備えている。モデム８には、ＮＣＵ９が接続されている。ＮＣＵ９には、公衆電話回線が接続されている。
【００１４】
このファクシミリ装置では、ユーザは、操作表示部７を操作することによって、印刷停止時間帯の開始時刻および終了時刻を設定できるようになっている。印刷停止時間帯においては、ファクシミリ受信した受信データは印刷されることなくメモリ４に保存される。そして、印刷停止時間帯の終了時刻直前には、印刷停止時間帯においてメモリ４に保存された受信データの印刷が終了するように、印刷停止時間帯においてメモリ４に保存された受信データがまとめて印刷される。
【００１５】
印刷停止時間帯は、受信データを直ちに印刷しなくてもよい時間帯に設定される。印刷停止時間帯の終了時刻前には、印刷停止時間帯においてメモリ４に保存された受信データの印刷が終了するように、印刷停止時間帯においてメモリ４に保存された受信データがまとめて印刷されるので、電気料金が割引される時間帯を印刷停止時間帯内の終了時刻付近に含ませておくことによって、印刷処理に要する電気料金を節約できる。
【００１６】
ここでは、例えば、図２に示すように、２２時（開始時刻Ｃ）から翌日の８時（終了時刻Ｄ）までが印刷停止時間帯Ｂとして設定されているものとする。８時から２２時までは、通常時間帯Ａとなる。通常時間帯Ａにおいては、ファクシミリ受信によって受信したデータは、通常通り、直ちに印刷される。
【００１７】
印刷停止時間帯Ｂにおいては、ファクシミリ受信した受信データは印刷されることなくメモリ４に保存される。そして、印刷停止時間帯Ｂの終了時刻Ｄの直前には、印刷停止時間帯Ｂにおいてメモリ４に保存された受信データの印刷が終了するように、印刷停止時間帯Ｂにおいてメモリ４に保存された受信データがまとめて印刷される。具体的には、印刷停止時間帯Ｂにおいてメモリ４に保存された受信データの印刷開始予定時刻Ｅは、印刷停止時間帯Ｂの終了時刻をＤ、印刷停止時間帯Ｂにおいてメモリ４に保存された受信データを印刷するのに必要な時間をＦ、後述する監視処理の時間間隔をＧとすると、次式（１）に基づいて算出される。
【００１８】
Ｅ＝Ｄ−Ｆ−Ｇ      …（１）
【００１９】
図３は、ファクシミリ装置の受信処理手順を示している。
【００２０】
ファクシミリ受信によってデータを受信すると（ステップＳ１）、受信したデータをメモリ４に保存する（ステップＳ２）。そして、現在時刻が印刷停止時間帯Ｂ内であるか否かを判別する（ステップＳ３）。現在時刻が印刷停止時間帯Ｂ内でないと判別した場合、つまり、現在時刻が通常時間帯Ａ内であると判別した場合には、メモリ４に保存した受信データの印刷を実行した後（ステップＳ４）、メモリ４内の受信データを削除する（ステップＳ５）。そして、ステップＳ１に戻る。
【００２１】
上記ステップＳ３において、現在時刻が印刷停止時間帯Ｂ内であると判別した場合には、監視処理を起動させる（ステップＳ６）。なお、ステップＳ３において、現在時刻が印刷停止時間帯Ｂ内であると判別した時点において、既に監視処理が起動されている場合には、現在行なわれている監視処理が続行せしめられる。つまり、印刷停止時間帯において、最初のファクシミリ受信によってデータを受信したときに、監視処理が起動せしめられる。
【００２２】
図４は、図３のステップＳ６によって起動される監視処理の詳細な手順を示している。      
【００２３】
まず、メモリ４に蓄積されている受信データ量から、メモリ４に蓄積されている受信データを印刷するのに要する時間Ｆを算出する（ステップＳ１１）。印刷停止時間帯Ｂの終了時刻をＤ、印刷に要する時間をＦ、監視処理の時間間隔をＧとして、上記式（１）に基づいて、印刷開始予定時刻Ｅを算出する（ステップＳ１２）。
【００２４】
そして、現在時刻が印刷開始予定時刻Ｅを過ぎているか否かを判別する（ステップＳ１３）。現在時刻が印刷開始予定時刻Ｅを過ぎていない場合には、監視処理の時間間隔として設定された一定時間Ｇだけ待機した後（ステップＳ１４）、ステップＳ１１に戻る。
【００２５】
上記ステップＳ１３において、現在時刻が印刷開始予定時刻Ｅを過ぎていると判別した場合には、メモリ４に蓄積されている受信データの印刷処理を実行した後（ステップＳ１５）、メモリ４内の受信データを削除する（ステップＳ１６）。そして、監視処理を終了する。
【００２６】
上記実施例では、印刷停止時間帯において、最初のファクシミリ受信によってデータを受信したときに、監視処理が起動せしめらているが、印刷停止時間帯に入った直後に、監視処理を起動させるようにしてもよい。
【図面の簡単な説明】
【００２７】
【図１】ファクシミリ装置の構成を示すブロック図である。
【図２】印刷停止時間帯Ｂの具体例を示す模式図である。
【図３】ファクシミリ装置の受信処理手順を示すフローチャートである。
【図４】監視処理の詳細な手順を示すフローチャートである。
【符号の説明】
【００２８】
１  ＣＰＵ
２  ＲＯＭ
３  ＲＡＭ
４  メモリ
５  スキャナ部
６  プリント部
７  操作表示部
８  モデム
９  ＮＣＵ
【図１】
2007067665.tif 000003
【図２】
2007067665.tif 000004
【図３】
2007067665.tif 000005
【図４】
2007067665.tif 000006